【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
非接触の記録媒体を使用者に担持させて、複数の遊技場所の複数種の設備の改札業務を管理する改札業務の統合管理システムにおいて、
前記非接触の記録媒体を投函させる投函口を備え、この投函口からの非接触の記録媒体の表面の印字文字を消去するとともに、入力された券種の発券情報を非接触で書き込む一方、この発券状況を転送する発券機と、
前記遊技場所に複数配置され、前記使用者が当ゲートの手前に位置していることを検出して前記使用者が担持している非接触の記録媒体の内部データを非接触で読み、この内部データが所定の改札条件を満足しているかどうかを判定して改札すると共に、このときの改札状況を転送する改札ゲートと、
前記遊技場所に複数配置され、前記非接触の記録媒体を挿入させる挿入口を備え、
この挿入口からの前記非接触の記録媒体の内部データが所定の回収条件を満足しているかどうかを判定して回収すると共に預かり券を返却する一方、このときの回収状況を送信する回収機と、を有することを特徴とする改札業務の統合管理システム。
【請求項２】
非接触の記録媒体を使用者に担持させて、複数の遊技場所の複数種の設備の改札業務を管理する改札業務の統合管理システムにおいて、
前記非接触の記録媒体を複数一度に投函させる投函口を備え、この投函口からの非接触の記録媒体を一枚毎に搬送しながら表面の印字文字を消去すると共に、入力された券種の発券情報を転送された発券業務のプログラムに従って非接触で書き込む一方、この発券状況を転送する発券機と、
前記遊技場所に複数配置され、前記使用者が当ゲートの手前に位置していることを検出して前記使用者が担持している非接触の記録媒体の内部データを非接触で読み、この内部データが所定の改札条件を満足しているかどうかを転送された改札業務のプログラムに基づいて判定して改札すると共に、このときの改札状況を転送する改札ゲートと、
前記遊技場所に複数配置され、前記非接触の記録媒体を挿入させる挿入口を備え、この挿入口からの前記非接触の記録媒体の内部データが所定の回収条件を満足しているかどうかを転送された回収業務のプログラムに基づいて判定して回収すると共に預かり券を返却する一方、このときの回収状況を送信する回収機と、を有することを特徴とする改札業務の統合管理システム。
【請求項３】
前記発券機は、発券機コントローラに接続され、この発券機コントローラは、
挿入された発券用のメモリカードの発券業務のプログラムを前記発券機に転送して所望の券種の発券指示を前記発券機に送信した後に、前記発券機からの発券状況を表示又は前記発券用のメモリカードに登録することを特徴とする請求項２記載の改札業務の統合管理システム。
【請求項４】
前記複数の改札ゲートは、改札ゲートコントローラに接続され、この改札ゲートコントローラは、
挿入された改札用のメモリカードの改札業務のプログラムを前記複数の改札ゲートに順次転送した後に、前記改札ゲートからの改札状況を表示又は前記改札用のメモリカードに登録することを特徴とする請求項２乃至３記載の改札業務の統合管理システム。
【請求項５】
前記複数の回収機は、回収機コントローラに接続され、この回収機コントローラは、
挿入された回収用のメモリカードの回収業務のプログラムを前記複数の回収機に順次転送した後に、前記回収機からの回収状況を表示又は前記回収用のメモリカードに登録することを特徴とする請求項２乃至４記載の改札業務の統合管理システム。
【請求項６】
前記改札ゲートは、
前記使用者を検出すると共に、電波を放射して前記非接触の記録媒体の内部データを受信又は書込する非接触の検出装置と、
前記非接触の検出装置とは分離されて、前記非接触の検出装置の後方に所定間隔を有して配置され、前記改札ゲートコントローラから転送されたプログラムに従って、前記非接触の記録媒体の内部データの基本データ及び使用実績が当該ゲートの通過条件を満足しているとき、前記使用者の通過を許可する改札機と
からなることを特徴とする請求項２乃至５記載の改札業務の統合管理システム。
【請求項７】
前記改札機は、
前記非接触の記録媒体の内部データが前記通過条件を満足していないと判定したとき、前記改札ゲートコントローラから通過許可指示が送信されたときは、強制的にゲートを開いて通過を許可することを特徴とする請求項２乃至６記載の改札業務の統合管理システム。
【請求項８】
前記改札機は、
前記非接触の記録媒体の内部データを最新データに書込み更新するにあたり、このリフト券のデータが、今回の更新時点より以前に遡って所定の書込み更新サイクルにおいて書込み更新されていないことを条件に、データ書込み更新を行うことを特徴とする請求項２乃至７記載の改札業務の統合管理システム。
【請求項９】
前記非接触の記録媒体はリフト券カードであり、このリフト券カードの内部データは、使用するスキー場のスキー場コード、前記設備を管理する会社コード、券種、度数又は時間等の基本データと、残度数又は残時間、前記回収機によって回収済みかどうかを知らせるコード等の使用実績データとからなっていることを特徴とする請求項２乃至８記載の改札業務の統合管理システム。
【手続補正２】
【補正対象書類名】明細書
【補正対象項目名】００２０
【補正方法】変更
【補正の内容】
【００２０】
【課題を解決するための手段】
請求項１は、非接触の記録媒体を使用者に担持させて、複数の遊技場所の複数種の設備の改札業務を管理する改札業務の統合管理システムにおいて、前記非接触の記録媒体を投函させる投函口を備え、この投函口からの非接触の記録媒体の表面の印字文字を消去するとともに、入力された券種の発券情報を非接触で書き込む一方、この発券状況を転送する発券機と、前記遊技場所に複数配置され、前記使用者が当ゲートの手前に位置していることを検出して前記使用者が担持している非接触の記録媒体の内部データを非接触で読み、この内部データが所定の改札条件を満足しているかどうかを判定して改札すると共に、このときの改札状況を転送する改札ゲートと、前記遊技場所に複数配置され、前記非接触の記録媒体を挿入させる挿入口を備え、この挿入口からの前記非接触の記録媒体の内部データが所定の回収条件を満足しているかどうかを判定して回収すると共に預かり券を返却する一方、このときの回収状況を送信する回収機とを備えたことを要旨とする。
請求項２は、非接触の記録媒体を使用者に担持させて、複数の遊技場所の複数種の設備の改札業務を管理する改札業務の統合管理システムにおいて、非接触の記録媒体を複数一度に投函させる投函口を備え、この投函口からの非接触の記録媒体を一枚毎に搬送しながら表面の印字文字を消去すると共に、入力された券種の発券情報を転送された発券業務のプログラムに従って非接触で書き込む一方、この発券状況を転送する発券機と、遊技場所に複数配置され、使用者が当ゲートの手前に位置していることを検出して使用者が担持している非接触の記録媒体の内部データを非接触で読み、この内部データが所定の改札条件を満足しているかどうかを転送された改札業務のプログラムに基づいて判定して改札すると共に、このときの改札状況を転送する改札ゲートと、遊技場所に複数配置され、非接触の記録媒体を挿入させる挿入口を備え、この挿入口からの非接触の記録媒体の内部データが所定の回収条件を満足しているかどうかを転送された回収業務のプログラムに基づいて判定して回収すると共に預かり券を返却する一方、このときの回収状況を送信する回収機とを備えたことを要旨とする。


【手続補正３】
【補正対象書類名】明細書
【補正対象項目名】００２１
【補正方法】変更
【補正の内容】
【００２１】
請求項２においては、発券機、回収機、改札機は転送されたプログラムに従って以下の処理動作を行う。


【手続補正４】
【補正対象書類名】明細書
【補正対象項目名】００２６
【補正方法】変更
【補正の内容】
【００２６】
請求項３は、発券機は、発券機コントローラに接続され、この発券機コントローラは、挿入された発券用のメモリカードの発券業務のプログラムを発券機に転送して所望の券種の発券指示を発券機に送信した後に、発券機からの発券状況を表示又は発券用のメモリカードに登録することを要旨とする。


【手続補正５】
【補正対象書類名】明細書
【補正対象項目名】００２７
【補正方法】変更
【補正の内容】
【００２７】
請求項３においては、発券機とは別に設けた発券機コントローラが発券業務用のメモリカードの挿入に伴って、このメモリカードの発券業務のプログラムを発券機に転送した後に、所望の券種を発券させる指示を送信すると共に、発券機からの発券状況を表示又はメモリカードに書込する。


【手続補正６】
【補正対象書類名】明細書
【補正対象項目名】００３１
【補正方法】変更
【補正の内容】
【００３１】
請求項４は、複数の改札ゲートは、改札ゲートコントローラに接続され、この改札ゲートコントローラは、挿入された改札用のメモリカードの改札業務のプログラムを複数の改札ゲートに順次転送した後に、改札ゲートからの改札状況を表示又は改札用のメモリカードに登録することを要旨とする。


【手続補正７】
【補正対象書類名】明細書
【補正対象項目名】００３２
【補正方法】変更
【補正の内容】
【００３２】
請求項４においては、複数の改札ゲートに接続された一台の改札ゲートコントローラが挿入された改札用のメモリカードの改札業務のプログラムを順次転送する。そして、改札ゲートからの改札状況を表示又は改札用のメモリカードに登録する。


【手続補正８】
【補正対象書類名】明細書
【補正対象項目名】００３６
【補正方法】変更
【補正の内容】
【００３６】
請求項５は、複数の回収機は、回収機コントローラに接続され、この回収機コントローラは、挿入された回収用のメモリカードの回収業務のプログラムを複数の回収機に順次転送した後に、回収機からの回収状況を表示又は前記回収用のメモリカードに登録することを要旨とする。


【手続補正９】
【補正対象書類名】明細書
【補正対象項目名】００３７
【補正方法】変更
【補正の内容】
【００３７】
請求項５においては、複数の回収機に接続された一台の回収機コントローラが挿入された回収用のメモリカードの回収業務のプログラムを順次転送する。そして、改札機からの回収状況を表示又は回収用のメモリカードに登録する。


【手続補正１０】
【補正対象書類名】明細書
【補正対象項目名】００４０
【補正方法】変更
【補正の内容】
【００４０】
請求項６は、改札ゲートは、使用者を検出すると共に、電波を放射して非接触の記録媒体の内部データを受信又は書込する非接触の検出装置と、非接触の検出装置とは分離されて、非接触の検出装置の後方に所定間隔を有して配置され、改札ゲートコントローラから転送されたプログラムに従って、非接触の記録媒体の内部データの基本データ及び使用実績が当該ゲートの通過条件を満足しているとき、使用者の通過を許可する改札機とを備えたことを要旨とする。


【手続補正１１】
【補正対象書類名】明細書
【補正対象項目名】００４１
【補正方法】変更
【補正の内容】
【００４１】
請求項６においては、使用者は非接触の検出装置の位置に来たとき検出され、この非接触の検出装置から放射されている電波によって担持している非接触の記録媒体の内部データが読み取られる。そして、この内部データが後方の改札機により通過許可の判定がなされ、通過許可の場合はゲートを開いて通過させられる。


【手続補正１２】
【補正対象書類名】明細書
【補正対象項目名】００４３
【補正方法】変更
【補正の内容】
【００４３】
請求項７は、改札機は、非接触の記録媒体の内部データが通過条件を満足していないと判定したとき、改札ゲートコントローラから通過許可指示が送信されたときは、強制的にゲートを開いて通過を許可することを要旨とする。


【手続補正１３】
【補正対象書類名】明細書
【補正対象項目名】００４４
【補正方法】変更
【補正の内容】
【００４４】
請求項７においては、記録媒体を持たない係員又は上記条件を満たさなくとも通過させたい使用者に対しては、遠隔地点にいる係員の判断で通過を許可させることが可能となる。


【手続補正１４】
【補正対象書類名】明細書
【補正対象項目名】００４５
【補正方法】変更
【補正の内容】
【００４５】
請求項８は、改札機は、非接触の記録媒体の内部データを最新データに書込み更新するにあたり、このリフト券のデータが、今回の更新時点より以前に遡って所定の書込み更新サイクルにおいて書込み更新されていないことを条件に、データ書込み更新を行うことを要旨とする。


【手続補正１５】
【補正対象書類名】明細書
【補正対象項目名】００４６
【補正方法】変更
【補正の内容】
【００４６】
請求項８においては、非接触の記録媒体の内部データを最新データに書込み更新するにあたり、このデータが、今回の更新時点より以前に遡って所定の書込み更新サイクルにおいて書込み更新されていないことを条件に、データ書込み更新が行われる。


【手続補正１６】
【補正対象書類名】明細書
【補正対象項目名】００４８
【補正方法】変更
【補正の内容】
【００４８】
請求項９は、非接触の記録媒体はリフト券カードであり、このリフト券カードの内部データは、使用するスキー場のスキー場コード、設備を管理する会社コード、券種、度数又は時間等の基本データと、残度数又は残時間、回収済みかどうかを知らせるコード等の使用実績データとからなっていることを要旨とする。


【手続補正１７】
【補正対象書類名】明細書
【補正対象項目名】００４９
【補正方法】変更
【補正の内容】
【００４９】
請求項９においては、発券機は、投函口に投函された複数のリフト券カードを一枚毎に搬送しながら表面の印字文字を消去する。そして、このリフト券カードに、スキー場コード、設備を管理する会社コード、券種、度数又は時間等の基本データとからなる発券情報が非接触で書き込まれて発券され、かつこのときの発券状況が発券機コントローラに転送される。


【手続補正１８】
【補正対象書類名】明細書
【補正対象項目名】０１９０
【補正方法】変更
【補正の内容】
【０１９０】
【発明の効果】
請求項１及び請求項２によれば、利用する設備状況又は設備の運用に変更があってもこれらの変更状況に応じた発券業務、改札業務及び回収業務を直ぐに行わせることができるという効果が得られている。


【手続補正１９】
【補正対象書類名】明細書
【補正対象項目名】０１９１
【補正方法】変更
【補正の内容】
【０１９１】
請求項３によれば、利用する設備状況又は設備の運用に変更があってもこれらの変更状況及び使用者の要望に応じた発券情報を書き込んだ非接触の記録媒体を直ぐに発券させることができるという効果が得られている。


【手続補正２０】
【補正対象書類名】明細書
【補正対象項目名】０１９４
【補正方法】変更
【補正の内容】
【０１９４】
請求項４によれば、利用する設備状況又は設備の運用に変更があってもこれらの変更状況及び使用者の要望に応じた条件で直ぐに改札業務を行わせることができるという効果が得られている。


【手続補正２１】
【補正対象書類名】明細書
【補正対象項目名】０１９７
【補正方法】変更
【補正の内容】
【０１９７】
請求項５によれば、遠隔地点から一人の係員が各回収機の回収状況（回収枚数、故障、預かり券の残数、券種毎の回収枚数）をリアルタイムで把握することができるという効果が得られている。


【手続補正２２】
【補正対象書類名】明細書
【補正対象項目名】０１９９
【補正方法】変更
【補正の内容】
【０１９９】
請求項６によれば、改札ゲートの非接触の検出装置に使用者が位置しているとき、改札機における通過の判定結果が分かる。


【手続補正２３】
【補正対象書類名】明細書
【補正対象項目名】０２００
【補正方法】変更
【補正の内容】
【０２００】
請求項７によれば、記録媒体を持たない係員又は上記条件を満たさなくとも通過させたい使用者に対しては、遠隔地点にいる係員の判断で通過を許可させることができるという効果が得られている。


【手続補正２４】
【補正対象書類名】明細書
【補正対象項目名】０２０１
【補正方法】変更
【補正の内容】
【０２０１】
請求項８によれば、初心者などが改札ゲートの通過に手間取って比較的長時間改札ゲート付近に滞っている間に、複数回にわたり非接触の記録媒体と通信を行い得たとしても、同一のものに対して、初回の通信時にはデータの更新を行うものの再度のデータ更新は行わないという効果が得られている。


【手続補正２５】
【補正対象書類名】明細書
【補正対象項目名】０２０２
【補正方法】変更
【補正の内容】
【０２０２】
請求項９によれば、発券機、回収機及び改札ゲートは転送されたスキー場の運用を行うプログラムに従ってリフト券カードの内部データを読み込んで運用制御するので、ゴンドラ、リフトの設備状況又はゴンドラ、リフトの運用に変更があってもこれらの変更状況に応じたリフト券の発券業務、リフト券の改札業務及びリフト券の回収業務を直ぐに行わせることができるという効果が得られている。